(57)【特許請求の範囲】
【請求項１】
任意の色モードの画像データを蓄積する蓄積手段と、画像形成装置を利用する利用者が印刷可能な色モードを指定する指定手段と、前記指定手段により色モードを指定した利用者から前記蓄積手段に蓄積された画像データの出力要求を受け付けた場合に、その出力要求を受け付けた前記画像データの任意の色モードを前記利用者が印刷可能な色モードに変換し、該変換した画像データを出力する出力手段と、を有し、
前記出力手段は、
出力要求を受け付けた前記画像データの任意の色モードを特定し、該特定した前記画像データの任意の色モードが、前記利用者が印刷可能な色モードでない場合に、前記画像データの任意の色モードを、前記利用者が印刷可能な色モードに変換し、該変換した画像データを出力する色モード変換手段を有し、
前記色モード変換手段は、
前記利用者がフルカラーの利用者権限では無いが、任意の２色の色モードの利用者権限である場合は、前記２色の指定を少なくとも黒認識部色変換または文字パターン部色変換から指定させる手段を備え、
前記利用者から受け付けた２色の指定が、黒認識部色変換に用いる２色の指定である場合は、前記画像データを黒版と黒以外の色版とに分離し、当該分離した黒版と黒以外の色版とに前記受け付けた２色を用いて画像データを出力し、
前記受け付けた２色の指定が、文字パターン部色変換に用いる２色の指定である場合は、前記画像データを文字モード認識領域と非文字モード認識領域とに分離し、当該分離した文字モード認識領域と非文字モード認識領域とに前記受け付けた２色を用いて画像データを出力することを特徴とする画像形成装置。
【請求項２】
任意の色モードの画像データを蓄積する蓄積手段を有する画像形成装置で行う方法であって、
前記画像形成装置を利用する利用者が印刷可能な色モードを指定する指定工程と、
前記指定工程により色モードを指定した利用者から前記蓄積手段に蓄積された画像データの出力要求を受け付けた場合に、その出力要求を受け付けた前記画像データの任意の色モードを前記利用者が印刷可能な色モードに変換し、該変換した画像データを出力する出力工程と、を有し、
前記出力工程は、
出力要求を受け付けた前記画像データの任意の色モードを特定し、該特定した前記画像データの任意の色モードが、前記利用者が印刷可能な色モードでない場合に、前記画像データの任意の色モードを、前記利用者が印刷可能な色モードに変換し、該変換した画像データを出力する色モード変換工程を有し、
前記色モード変換工程は、
前記利用者がフルカラーの利用者権限では無いが、任意の２色の色モードの利用者権限である場合は、前記２色の指定を少なくとも黒認識部色変換または文字パターン部色変換から指定させる工程を有し、
前記利用者から受け付けた２色の指定が、黒認識部色変換に用いる２色の指定である場合は、前記画像データを黒版と黒以外の色版とに分離し、当該分離した黒版と黒以外の色版とに前記受け付けた２色を用いて画像データを出力し、
前記受け付けた２色の指定が、文字パターン部色変換に用いる２色の指定である場合は、前記画像データを文字モード認識領域と非文字モード認識領域とに分離し、当該分離した文字モード認識領域と非文字モード認識領域とに前記受け付けた２色を用いて画像データを出力することを特徴とする方法。
【請求項３】
任意の色モードの画像データを蓄積する蓄積手段を有する画像形成装置のコンピュータに実行させるプログラムであって、
前記画像形成装置を利用する利用者が印刷可能な色モードを指定する指定処理と、
前記指定処理により色モードを指定した利用者から前記蓄積手段に蓄積された画像データの出力要求を受け付けた場合に、その出力要求を受け付けた前記画像データの任意の色モードを前記利用者が印刷可能な色モードに変換し、該変換した画像データを出力する出力処理と、を前記コンピュータに実行させ、
前記出力処理は、
出力要求を受け付けた前記画像データの任意の色モードを特定し、該特定した前記画像データの任意の色モードが、前記利用者が印刷可能な色モードでない場合に、前記画像データの任意の色モードを、前記利用者が印刷可能な色モードに変換し、該変換した画像データを出力する色モード変換処理を有し、
前記色モード変換処理は、
前記利用者がフルカラーの利用者権限では無いが、任意の２色の色モードの利用者権限である場合は、前記２色の指定を少なくとも黒認識部色変換または文字パターン部色変換から指定させる処理を有し、
前記利用者から受け付けた２色の指定が、黒認識部色変換に用いる２色の指定である場合は、前記画像データを黒版と黒以外の色版とに分離し、当該分離した黒版と黒以外の色版とに前記受け付けた２色を用いて画像データを出力し、
前記受け付けた２色の指定が、文字パターン部色変換に用いる２色の指定である場合は、前記画像データを文字モード認識領域と非文字モード認識領域とに分離し、当該分離した文字モード認識領域と非文字モード認識領域とに前記受け付けた２色を用いて画像データを出力することを特徴とするプログラム。
【発明の詳細な説明】
【０００１】
【発明の属する技術分野】
本発明はフルカラー画像形成装置に関し、特に、利用者を登録する際に利用者が印刷可能な色モード（単色／２色／フルカラー）の指定を行い、色モード毎に利用者を制限する画像形成装置に関する。
【０００２】
【従来の技術】
従来、画像形成装置において、暗証番号やカード等により、利用者を制限するモードを有する発明が、先願発明例１として特開平７−３３４０４８号公報の「画像形成装置管理システム」に開示されている。また、先願発明例２として特開平１１−２５４９８号公報の「画像形成システム、画像形成システムの出力枚数管理方法および記憶媒体」に開示されている。また、色モードに応じて利用者を制限する発明が先願発明例３として特開２０００−１９９０７号公報の「画像形成システム」に開示されている。
【０００３】
上記先願発明例１は、暗証コードを第１の暗証コードと第２の暗証コードとに分け、操作部からの入力信号に対して、第１の暗証コードについては登録、変更、暗証コード毎のコピー枚数の表示、初期値化、プリントアウトを許可して実行し、第２の暗証コードについては登録、削除、変更、暗証コード毎のコピー枚数の表示、初期値化、プリントアウトのうち所定のものを禁止する暗証コードを管理する手段を備えることで、各ユーザのコピー枚数管理を正確に行うことができる。
【０００４】
先願発明例２は、各利用者から依頼されたコピージョブの出力枚数を該利用者のコピーＩＤに対応付けて管理し、また、各利用者から依頼されたプリントジョブの出力枚数を該利用者のプリントＩＤに対応付けて管理し、コピージョブの出力枚数とプリントジョブの出力枚数とを集計することで、コピージョブの出力枚数とプリントジョブの出力枚数とを一元管理することができる。
【０００５】
先願発明例３は、カラー画像を形成する場合は、印字装置に鍵を差し込み、印字モードを選択することで、色モードに応じて利用者を制限することができる。
【０００６】
また、ＨＤＤ等の記憶媒体に画像を蓄積し、その蓄積した画像情報を指定して出力することができる画像形成装置が挙げられる。
【０００７】
【発明が解決しようとする課題】
しかしながら、記憶媒体に蓄積した画像情報を指定して出力する際に、蓄積時のカラーモード出力の利用者権限がない場合は、該当する色モードでない場合でも、記憶媒体に蓄積した画像情報を転写紙出力することができない。
【０００８】
本発明は上記事情に鑑みてなされたものであり、色モードに関係なく利用者が画像出力を要求した場合は、色モードを変更して転写紙出力を行う画像形成装置、方法及びプログラムを提供することを目的とする。
【０００９】
かかる目的を達成するために本発明は以下の特徴を有する。
＜画像形成装置＞
本発明にかかる画像形成装置は、任意の色モードの画像データを蓄積する蓄積手段と、画像形成装置を利用する利用者が印刷可能な色モードを指定する指定手段と、前記指定手段により色モードを指定した利用者から前記蓄積手段に蓄積された画像データの出力要求を受け付けた場合に、その出力要求を受け付けた前記画像データの任意の色モードを前記利用者が印刷可能な色モードに変換し、該変換した画像データを出力する出力手段と、を有し、前記出力手段は、出力要求を受け付けた前記画像データの任意の色モードを特定し、該特定した前記画像データの任意の色モードが、前記利用者が印刷可能な色モードでない場合に、前記画像データの任意の色モードを、前記利用者が印刷可能な色モードに変換し、該変換した画像データを出力する色モード変換手段を有し、前記色モード変換手段は、前記利用者がフルカラーの利用者権限では無いが、任意の２色の色モードの利用者権限である場合は、前記２色の指定を少なくとも黒認識部色変換または文字パターン部色変換から指定させる手段を備え、前記利用者から受け付けた２色の指定が、黒認識部色変換に用いる２色の指定である場合は、前記画像データを黒版と黒以外の色版とに分離し、当該分離した黒版と黒以外の色版とに前記受け付けた２色を用いて画像データを出力し、前記受け付けた２色の指定が、文字パターン部色変換に用いる２色の指定である場合は、前記画像データを文字モード認識領域と非文字モード認識領域とに分離し、当該分離した文字モード認識領域と非文字モード認識領域とに前記受け付けた２色を用いて画像データを出力することを特徴とする。
【００１０】
＜方法＞
また、本発明にかかる方法は、任意の色モードの画像データを蓄積する蓄積手段を有する画像形成装置で行う方法であって、前記画像形成装置を利用する利用者が印刷可能な色モードを指定する指定工程と、前記指定工程により色モードを指定した利用者から前記蓄積手段に蓄積された画像データの出力要求を受け付けた場合に、その出力要求を受け付けた前記画像データの任意の色モードを前記利用者が印刷可能な色モードに変換し、該変換した画像データを出力する出力工程と、を有し、前記出力工程は、出力要求を受け付けた前記画像データの任意の色モードを特定し、該特定した前記画像データの任意の色モードが、前記利用者が印刷可能な色モードでない場合に、前記画像データの任意の色モードを、前記利用者が印刷可能な色モードに変換し、該変換した画像データを出力する色モード変換工程を有し、前記色モード変換工程は、前記利用者がフルカラーの利用者権限では無いが、任意の２色の色モードの利用者権限である場合は、前記２色の指定を少なくとも黒認識部色変換または文字パターン部色変換から指定させる工程を有し、前記利用者から受け付けた２色の指定が、黒認識部色変換に用いる２色の指定である場合は、前記画像データを黒版と黒以外の色版とに分離し、当該分離した黒版と黒以外の色版とに前記受け付けた２色を用いて画像データを出力し、前記受け付けた２色の指定が、文字パターン部色変換に用いる２色の指定である場合は、前記画像データを文字モード認識領域と非文字モード認識領域とに分離し、当該分離した文字モード認識領域と非文字モード認識領域とに前記受け付けた２色を用いて画像データを出力することを特徴とする。
【００１１】
＜プログラム＞
また、本発明にかかるプログラムは、任意の色モードの画像データを蓄積する蓄積手段を有する画像形成装置のコンピュータに実行させるプログラムであって、前記画像形成装置を利用する利用者が印刷可能な色モードを指定する指定処理と、前記指定処理により色モードを指定した利用者から前記蓄積手段に蓄積された画像データの出力要求を受け付けた場合に、その出力要求を受け付けた前記画像データの任意の色モードを前記利用者が印刷可能な色モードに変換し、該変換した画像データを出力する出力処理と、を前記コンピュータに実行させ、前記出力処理は、出力要求を受け付けた前記画像データの任意の色モードを特定し、該特定した前記画像データの任意の色モードが、前記利用者が印刷可能な色モードでない場合に、前記画像データの任意の色モードを、前記利用者が印刷可能な色モードに変換し、該変換した画像データを出力する色モード変換処理を有し、前記色モード変換処理は、前記利用者がフルカラーの利用者権限では無いが、任意の２色の色モードの利用者権限である場合は、前記２色の指定を少なくとも黒認識部色変換または文字パターン部色変換から指定させる処理を有し、前記利用者から受け付けた２色の指定が、黒認識部色変換に用いる２色の指定である場合は、前記画像データを黒版と黒以外の色版とに分離し、当該分離した黒版と黒以外の色版とに前記受け付けた２色を用いて画像データを出力し、前記受け付けた２色の指定が、文字パターン部色変換に用いる２色の指定である場合は、前記画像データを文字モード認識領域と非文字モード認識領域とに分離し、当該分離した文字モード認識領域と非文字モード認識領域とに前記受け付けた２色を用いて画像データを出力することを特徴とする。
【００１４】
【発明の実施の形態】
以下、添付図面を参照しながら本発明にかかる実施形態について詳細に説明する。
本実施形態での画像形成装置は、フルカラーの画像形成装置であり、ブラック（Ｋ）／シアン（Ｃ）／マゼンタ（Ｍ）／イエロー（Ｙ）の４色の色版を重畳することによりフルカラーの画像出力を得ることを可能とする。
【００１５】
また、利用者を登録する際に、利用者が印刷可能な色モード（単色／２色／フルカラー）の指定を行うことで、色モード毎に利用者を制限することが可能となる。これにより利用者が印刷可能な色モードを選択したときのみ転写紙への出力を可能とする。
【００１６】
利用者の判別は、カード挿入や所定のコード入力により行うが、本実施形態では、コード入力に応じて色モードを登録する方法を例にとる。
利用者制限設定における色モード別での使用可否の相関を表１に示す。
【００１７】
【表１】
0004495897.tif 000002
【００１８】
表１に示すように利用者制限がフルカラーモードとなっている場合は、フルカラーモード，２色モード，単色モードでの印刷が可能となる。また、利用者制限が２色モードとなっている場合は、２色モード，単色モードでの印刷が可能となる。また、利用者制限が単色モードとなっている場合は、単色モードのみでの印刷が可能となる。
【００１９】
図１を参照しながら利用者のモード設定画面例を説明する。
モード設定画面は、利用者制限設定パネル１と、４桁の入力コードパネル２と、コピーパネル３と、プリンタパネル４と、蓄積画像パネル５と、「確定」キー６とを有してなる。コピーパネル３には、利用者が印刷可能な色モードを設定するためのフルカラー，２色，単色のパネルが設けられている。プリンタパネル４には、フルカラー，単色のパネルが設けられている。蓄積画像パネル５には、フルカラー，２色，単色のパネルが設けられている。
【００２０】
入力コードは４桁の数値で入力し、コピーとプリンタと蓄積画像との各色モードに対し、出力の可否を設定する。設定は「確定」キー６を押下して登録を行う。また、転写紙出力を行う場合は、コード入力が要求され、入力したコードに応じて、アプリ別の色モードにおける出力可否の判断を行う。利用権限のない色モードは設定ができないようになっている。
【００２１】
また、本実施形態の画像形成装置は、画像の記憶媒体としてＨＤＤを有しており、例えば、コピーの読み取り画像をＨＤＤに蓄積しておき、その蓄積した画像を指定することにより転写紙出力をその都度得ることも可能である。
【００２２】
図２を参照しながら、本実施形態における画像形成装置の制御動作を説明する。画像形成装置は、読取制御部１０と、メモリ１１と、コントローラ１２と、書込制御部１３と、ＨＤＤ１４とを有して構成される。
【００２３】
コントローラ１２は読取制御部１０で読み取った画像やメモリ上に展開された画像をＨＤＤ１４に蓄積する。ユーザが転写紙出力を要求した場合に、コントローラ１２はＨＤＤ１４から画像データを再度メモリ上に呼び出し、画像データを書込制御部１３に転送することで、転写紙出力を得る。
【００２４】
なお、ＨＤＤ１４の蓄積画像は、蓄積時の色モードで蓄積されており、操作部上に蓄積時の色モードが判別可能となるように表示されている。これにより利用者制限がない状態ならば、蓄積時の色モードで出力することが可能となる。
【００２５】
また、ＨＤＤ１４に蓄積されている画像データは、サイズや色モードの画像情報とブラック（Ｋ）／シアン（Ｃ）／マゼンタ（Ｍ）／イエロー（Ｙ）の画像データで構成されている。画像データは画素成分と画素毎に文字モードか写真モードかを示すデータが格納されている。また、画像データの集合体として、ファイルデータが形成されており、ＨＤＤ１４内にはいくつかのファイルデータが格納されている。蓄積画像の転写紙出力の際には、ファイルデータを指定して出力を行う。
【００２６】
しかしながら、利用者制限を設定した状態では、利用者が蓄積された画像を指定しても、蓄積時の色モードの利用権限がない場合は、通常出力を行うことができない。例えば、単色の利用者権限しかもたないユーザがフルカラーの蓄積画像を出力したい場合等である。また、利用者は蓄積時の色モードでなくても蓄積した画像の出力を行いたい場合がある。
【００２７】
この場合は、蓄積した画像に対して利用者が利用可能な色モードに変換して画像を出力することで、転写紙出力を得ることが可能となる。以下、図３を参照しながら本実施形態における動作処理を説明する。
【００２８】
転写紙出力要求を開始すると印刷条件が利用者制限モードか否かを判定する（ステップＳ１）。利用者制限モードである場合は（ステップＳ１／ＹＥＳ）、蓄積されたファイルデータがフルカラーデータか否かを判定する（ステップＳ２）。フルカラーデータと判定した場合は（ステップＳ２／ＹＥＳ）、利用者がフルカラー出力可能か否かを判定する（ステップＳ３）。出力可能でないと判定した場合は（ステップＳ／ＮＯ）、色モード変更問い合わせ表示処理を行い（ステップＳ４）、色モード変更処理を解除するか否かを判定する（ステップＳ５）。変更処理を解除すると判定した場合は（ステップＳ５／ＹＥＳ）、画像出力不可表示を行い（ステップＳ６）、処理を終了する。変更処理を解除しないと判定した場合は（ステップＳ５／ＮＯ）、色モード変更処理を行い（ステップＳ７）、画像出力可能処理を実行し（ステップＳ８）、処理を終了する。
【００２９】
また、利用者制限モードでない場合は（ステップＳ１／ＮＯ）、画像出力可能処理を実行し（ステップＳ１１）、処理を終了する。また、蓄積ファイルデータがフルカラーでないと判定した場合は（ステップＳ２／ＮＯ）、蓄積ファイルデータが２色データか否かを判定する（ステップＳ９）。２色データであると判定した場合は（ステップＳ９／ＹＥＳ）、利用者が２色カラー出力可能か否かを判定する（ステップＳ１０）。２色カラー出力可能と判定した場合は（ステップＳ１０／ＹＥＳ）、Ａに移行し、画像出力可能処理を実行し（ステップＳ１１）、処理を終了する。２色カラー出力可能でないと判定した場合は（ステップＳ１０／ＮＯ）、Ｂに移行し、上記ステップＳ４〜Ｓ８と同様な処理を行う。
【００３０】
また、蓄積ファイルデータが２色データでないと判定した場合は（ステップＳ９／ＮＯ）、出力処理可能処理を実行し（ステップＳ１１）、処理を終了する。
【００３１】
また、利用者がフルカラー出力可能と判定した場合は（ステップＳ３／ＹＥＳ）、Ａに移行し画像出力可能処理を実行し（ステップＳ１１）、処理を終了する。
【００３２】
以上の処理により、利用者制限モードでない場合は、問題なく誰でも同じように転写紙出力を得ることができる。また、利用者制限モードの場合は、蓄積されたファイルが、フルカラーであるか、２色モードであるか、単色モードであるかを判断する。これによりフルカラーの蓄積画像の場合は、フルカラーの利用者権限を持つ使用者のみが通常出力可能となる。また、２色カラーの蓄積画像の場合は、フルカラーおよび２色カラーの利用者権限を持つ使用者のみが通常出力可能となる。単色に関しては、利用者権限があれば出力可能となる。
【００３３】
なお、上述する動作処理は種々変形実施可能であり、例えば、フルカラー画像を単色の利用者権限しかもたない使用者の場合は、ファイルを指定した際は、自動的に単色のデータにして出力することも可能である（フロー上は、図３における点線内の部分を省略した形になる）。なお、単色への変換は、各色の画素データをそのまま、メモリ上に論理和をとって出力することでも変換は可能である。
【００３４】
また、上記記載の実施形態において、動作処理を自動的に実行した場合に、色モード変換不要な画像までも、自動的に変換して出力させてしまう可能性がある。
【００３５】
そこで、利用者が利用不可能な画像を選択した際に、色モード変換するか否かの判断を操作画面上に表示することで、出力前に色モードの変換を行うか否かを利用者が判断し、不要な転写紙出力を得る必要がなくなる。図４は色モード変換の操作部表示例を示す。
【００３６】
この操作画面上には、蓄積画像色変換モードパネル２０と単色モードパネル２１と２色モードパネル２２と「解除」キー２３とを有して設定を行う。単色モードパネル２１と２色モードパネル２２とには色モードを設定するために黒，シアン，マゼンタ，イエロー，赤，青，緑の各色毎にパネルを有して構成されこのパネルを選択することで色モードの設定を行う。
【００３７】
処理動作としては、図３に示したフローチャートの点線部分におけるステップＳ５〜Ｓ８の動作処理を活かした形となる。以下、図５を参照しながら不要な転写紙出力を出さない動作処理を説明する。
【００３８】
まず、使用者はファイルを選択した際に、単色モードで出力するか否かの判断を行い（ステップＳ２０）、単色モードで出力しないと判断した場合は（ステップＳ２０／ＮＯ）、「解除」キーを押下し（ステップＳ２１）、画像出力不可表示を行う（ステップＳ２２）。単色モードで出力すると判断した場合は（ステップＳ２０／ＹＥＳ）、「解除」キーを押さず（ステップＳ２３）、色モードを変換するのであれば、単色モードにおいて、黒／シアン／マゼンタ／イエロー／赤／青／緑のいずれかのパネルを選択し、スタートボタン（図示せず）を押下する（色モード変更処理）（ステップＳ２４）。そして、画像出力可能処理を実行し（ステップＳ２５）、転写紙出力を得ることが可能となる。
【００３９】
以上の処理により、利用者に対し、単色モードで出力するか否かの判断をさせて、転写紙出力を得ることで、不要になりそうな画像の出力を軽減することが可能となる。
【００４０】
また、利用者の制限は、単色／２色／フルカラーの３種類で分別されているが、フルカラーの画像を単色に変換するよりは、２色の色モードで変換して出力画像を得た方が、画像の持つ意味合いを維持できる可能性がある。
【００４１】
そこで、フルカラーの利用者権限はないが２色の色モードの利用者権限を有している場合に、任意の２色を指定させることにより、元の画像の意味合いを少しでも損なうことなく、利用者が転写紙を得ることを可能とする。
【００４２】
任意の２色を何の画像に対応させるかであるが、第１の方法として、単純に色版で色分けを行う。これは、画像を黒版と黒版以外の色版とに分離して色分けを行う方法である。
また、第２の方法として、文字モード認識領域と文字モード認識領域以外のモード（例えば写真モード）認識領域とで色分けを行う。上記２つの方法により利用者がある程度わかりやすい転写紙画像出力を得ることが可能となる。
【００４３】
以下図６〜図８を参照しながら２色モード時の操作方法について説明する。
画像を黒版と黒版以外の色版とに分離して色分けを行う方法における操作部表示例を図６に示す。また、文字モード認識領域と文字モード認識領域以外のモード（例えば写真モード）認識領域とで色分けを行う方法における操作部表示例を図７に示す。また、画像の変換出力例を図８に示す。
【００４４】
図６，図７における操作画面上にも図４と同様に蓄積画像色変換モードパネル２０と単色モードパネル２１と２色モードパネル２２とを有して設定を行う。単色モードパネル２１と２色モードパネル２２とには色モードを設定するために黒，シアン，マゼンタ，イエロー，赤，青，緑の各色毎にパネルを有して構成されこのパネルを選択することで色モードの設定を行う。
【００４５】
図６には２色モードパネル２２に、黒部分の色モードを設定する各色毎のパネル２４と黒以外の部分の色モードを設定する各色毎のパネル２５とが分けて操作画面上に表示されている。この場合は、黒部分は黒が設定されており、黒以外の部分は赤が設定されている。
【００４６】
また図７には２色モードパネル２２に、文字領域の色モードを設定する各色毎のパネル２６と文字以外の領域の色モードを設定する各色毎のパネル２７とが分けて操作画面上に表示されている。この場合は、文字領域には黒が設定されており、文字以外の領域にはシアンが設定されている。
【００４７】
まず、色版で分離することを指定された場合は、ＨＤＤ内に情報が色版毎に格納されているので、図８では、文字と人物の髪との部分がブラック版になる。その文字と人物の髪との部分を黒に、それ以外の版の部分である、人物絵の部分で髪を除いた部分が別の単色で構成される。ブラック版以外の版のデータはメモリ上でシアン／マゼンタ／イエローの版における画像データの論理和をとって出力しても良い。本実施例では赤にしているので、マゼンタとイエローとの書き込みデータにそれぞれ同量の書き込みデータを配分して、書込制御部に転送し、２色モードの転写紙出力を得ることを可能としている。
【００４８】
また、文字モードと写真モードとで分離することを指定された場合は、ＨＤＤ内は、画素毎に処理モードも格納されているので、文字モードを認識している部分に関しては黒に、写真モードを認識している領域に対しては、シアンのデータを書込制御部に転送することにより、２色モードの転写紙出力を得ることを可能としている。
【００４９】
次に図９を参照しながら黒部分と黒以外の部分との色モード変換と、文字領域と文字以外の領域との色モード変換による画像出力の動作処理を説明する。
【００５０】
まず、出力したい画像が単色モード変換か否かを判定する（ステップＳ３０）。単色モード変換であると判定した場合は（ステップＳ３０／ＹＥＳ）、メモリ上に全色プレーンのＯＲ画像を作成し、設定した色のみで作像を行い（ステップＳ３１）、作像した画像の出力処理を行い（ステップＳ３２）、処理を終了する。単色モード変換でないと判定した場合は（ステップＳ３０／ＮＯ）、出力したい画像が２色モード変換か否かを判定する（ステップＳ３３）。２色モード変換であると判定した場合は（ステップＳ３３／ＹＥＳ）、黒版と黒版以外の版に分離して出力（黒認識部色変換）するか否かを判定する（ステップＳ３４）。黒認識部色変換であると判定した場合は（ステップＳ３４／ＹＥＳ）、黒認識部別色変換処理を行う（ステップＳ３５）。
【００５１】
黒認識部別色変換処理はまず、色指定処理を実行し、黒認識部色をＫ（黒）とし、黒認識部以外をＲ（赤）と設定する（ステップＳ３６）。次に、黒認識部で黒と認識した部分の画像データはそのまま黒で色変換を実行し作像を行う（ステップＳ３７）。黒と認識しなかった部分（黒認識部以外）の画像データはメモリ上でＯＲ画像の作成を行い赤（Ｒ）で色変換を実行する（ステップＳ３８）。次に、画像出力処理を行い（ステップＳ３２）、処理を終了する。
【００５２】
黒認識部色変換でないと判定した場合は（ステップＳ３４／ＮＯ）、文字パターン部と文字以外の部分に分離して出力（文字パターン部色変換処理）を行う（ステップＳ３９）。文字パターン部色変換処理はまず、色指定処理を実行し、文字部を黒（Ｋ）とし、文字部以外をシアン（Ｃ）と設定する（ステップＳ４０）。次に、文字部認識部で、文字部分の画像データを黒で作像を行う（ステップＳ４１）。文字部分と認識しなかった部分（文字部認識部以外）は、シアン（Ｃ）で作像を行う（ステップＳ４２）。次に、画像出力処理を行い（ステップＳ３２）、処理を終了する。
【００５３】
また、２色モード変換でないと判定した場合は（ステップＳ３３／ＮＯ）、色モード変換処理を解除するか否かを判定する（ステップＳ４３）。解除すると判定した場合は（ステップＳ４３／ＹＥＳ）、色モード変換処理を終了する。解除しないと判定した場合は（ステップＳ４３／ＮＯ）、ステップＳ３０に戻り再び処理を行う。
【００５４】
以上の処理により、出力したい画像を単色モードまたは２色モードに変換するかを判断し、単色モードの場合は、メモリ上に全色のプレーンのＯＲ画像を作成し、所望の色のみで作像を行うことにより、単色の画像を得る。また、２色モード変換処理の場合は、黒版と黒以外の版に分離して出力する方法または文字パターン部と文字以外の部分に分離して出力する方法により画像処理を行うことで２色の画像を得ることができる。
【００５５】
なお、上記実施形態は、本発明の好適な実施形態である。但し、これに限定されるものではなく種々変形実施可能である。
【００５６】
【発明の効果】
以上の説明より明らかなように本発明は、色モードを変換して出力画像を得ることにより、転写紙出力を要求している利用者に対して蓄積時の色モードの利用者権限がない時に、蓄積時の画像と異なる場合でも転写出力要求がある際に、転写紙出力をすることができる。
【００５７】
また、本発明は、色モード変換の選択をすると自動的に画像を出力するのではなく、色モード変換の判断を利用者が選択することで、利用者が不要と判断する画像を出力させることなく転写紙出力をすることができる。
【００５８】
また、本発明は、２色モードで出力させる際に、任意の２色を指定することでカラーモードの画像を２色モードの画像に変換して転写紙出力をすることが可能となり、利用者は蓄積された画像のカラーモードでは制限があり、同じカラーモードで転写紙出力を得ることはできないが、蓄積された画像の色をある程度保持した状態で転写紙出力をすることができる。
【００５９】
また、本発明は、２色の色分けを黒版と黒以外の色版とに分け、２色の転写紙出力をすることで、利用者が黒文字の多い画像に対して、十分な意味合いを維持して転写紙出力をすることができる。
【００６０】
また、本発明は、２色の色分けを文字領域と文字以外の領域とに分離して、２色の転写紙出力をすることで、利用者が文字情報に関して見やすい転写紙出力をすることができる。
【図面の簡単な説明】
【図１】利用者のモード設定画面例を示す図である。
【図２】画像形成装置の制御動作を示す図である。
【図３】転写紙出力を得る動作処理を示すフローチャートである。
【図４】色モード変換の操作画面上の表示例を示す図である。
【図５】不要な転写紙出力を出さない動作処理を示すフローチャートである。
【図６】黒部分と黒以外の部分との色モード変換の操作画面上の表示例を示す図である。
【図７】文字領域と文字以外の領域との色モード変換の操作画面上の表示例を示す図である。
【図８】黒部分と黒以外の部分との色モード変換における画像の変換出力例と、文字領域と文字以外の領域との色モード変換における画像の変換出力例を示す図である。
【図９】黒部分と黒以外の部分との色モード変換と、文字領域と文字以外の領域との色モード変換による画像出力の動作処理を示すフローチャートである。
【符号の説明】
１  利用者制限設定パネル
２  入力コードパネル
３  コピーパネル
４  プリンタパネル
５  蓄積画像パネル
６  確定キー
１０  画像読取部
１１  メモリ
１２  コントローラ
１３  書込制御部
１４  ＨＤＤ
２０  蓄積画像色変換モードパネル
２１  単色モードパネル
２２  ２色モードパネル
２３  解除キー
【図１】
0004495897.tif 000003
【図２】
0004495897.tif 000004
【図３】
0004495897.tif 000005
【図４】
0004495897.tif 000006
【図５】
0004495897.tif 000007
【図６】
0004495897.tif 000008
【図７】
0004495897.tif 000009
【図８】
0004495897.tif 000010
【図９】
0004495897.tif 000011